(57)【特許請求の範囲】
【請求項１】
工作機械の加工領域を覆う構造体と、
前記加工領域に面する前記構造体の天井部に配置された熱あるいは煙を感知する感知器と、
前記天井部の下側から前記感知器の方向へ伸び、熱せられた空気あるいは煙を上方に誘導すると共に、前記天井部とで熱せられた空気あるいは煙が対流する所定の空間領域を形成する位置に配置する、前記感知器の配置個所に対応した部位に開口部を有し、且つ前記感知器に対応して凹部をなす漏斗状に延設される仕切板と、
を備えた火炎感知装置付工作機械。
【請求項２】
工作機械の加工領域を覆う構造体と、
前記加工領域に面する前記構造体の天井部に配置された熱あるいは煙を感知する感知器と、
前記天井部の下側から前記感知器の方向へ伸び、熱せられた空気あるいは煙を上方に誘導すると共に、前記天井部とで熱せられた空気あるいは煙が対流する所定の空間領域を形成する位置に配置する、前記感知器の配置個所に対応した部位に開口部を有し、且つ鉛直方向に対して直交する方向に延設される仕切板と、
を備えた火炎感知装置付工作機械。
【請求項３】
熱あるいは煙を感知する感知器と、
前記感知器の上方及び側方を覆う下方を開放した筺体と、
前記筺体の下側から前記感知器の方向へ伸び、熱せられた空気あるいは煙を上方に誘導すると共に、前記筺体内に熱せられた空気あるいは煙が対流する所定の空間領域を形成する位置に配置する、開口部を有し、且つ、前記感知器に対応して凹部をなす漏斗状に延設される仕切板と、を備えた火炎感知装置付工作機械。
【請求項４】
熱あるいは煙を感知する感知器と、
前記感知器の上方及び側方を覆う下方を開放した筺体と、
前記筺体の下側から前記感知器の方向へ伸び、熱せられた空気あるいは煙を上方に誘導すると共に、前記筺体内に熱せられた空気あるいは煙が対流する所定の空間領域を形成する位置に配置する、開口部を有し、且つ鉛直方向に対して直交する方向に延設される仕切板と、
を備えた火炎感知装置付工作機械。
【発明の詳細な説明】
【技術分野】
【０００１】
本発明は、火災感知装置を備えた工作機械に関する。
【背景技術】
【０００２】
工作機械では、被加工物を加工する場合に、不水溶性（油性）クーラントを使用する。また、被加工物として樹脂やマグネシウムなどの可燃性金属を加工することがある。その際、プログラムミスによりカッタと治具が接触し火花が発生したり、不適切な加工条件のためカッタが破損し切削熱により発火したりして、火災に至る可能性がある。火災に対する対策の１つとして、工作機械へ自動消火装置を取り付け、火災発生時に感知器により火災を感知し自動的に消火薬剤を吐出することにより消火する方法がある。
【０００３】
建物で火災が発生した際に、火災を感知する感知装置として下記の技術手段が公知である。建物で火災が発生した際を想定し、天井を垂直な仕切り板によって複数の小間に分け、その小間毎に煙感知器を設置することにより、火災発生個所近くの小間に煙が早期に集まるため、煙感知器が早期に反応し、初期消火ができるものがある（特許文献１参照）。
【０００４】
また、火災が発生した際に照明器具の上方に設けられた排気ダクトへ、火災によって発生した煙や暖められた空気を逃がし、その経路上に火災報知器を設置したもので、水平部にあいたスリットには、単に煙や空気をダクトへ逃がすための穴が設けられているものがある（特許文献２参照）。
【０００５】
また、炎からの紫外線を検出する紫外線検出手段を有する炎感知器の保護カバーが設けられており、該保護カバーには視野外照明反射板を設けられているものがある（特許文献３参照）。
炎からの光を検知する場合、工作機械の外で発せられる光に反応するなどして、誤検知することがある。
【０００６】
【特許文献１】特開２００１−３４４６７１号公報
【特許文献２】特開昭６４−１９４９９号公報
【特許文献３】実開平１０−５８号公報
【発明の開示】
【発明が解決しようとする課題】
【０００７】
自動消火装置の感知器には、熱、煙または炎を感知するタイプなどが存在するが、いずれもより早く火災発生を感知することで、被害も小さく、また、確実に消火できる可能性が高くなる。
【０００８】
そこで、本発明は、熱、または煙を感知するタイプの感知器が工作機械で発生した火災をいずれもより早く感知するための手段を備えた工作機械を提供することである。
【課題を解決するための手段】
【０００９】
本願の請求項１に係る発明は、工作機械の加工領域を覆う構造体と、前記加工領域に面する前記構造体の天井部に配置された熱あるいは煙を感知する感知器と、前記天井部の下側から前記感知器の方向へ伸び、熱せられた空気あるいは煙を上方に誘導すると共に、前記天井部とで熱せられた空気あるいは煙が対流する所定の空間領域を形成する位置に配置する、前記感知器の配置個所に対応した部位に開口部を有し、且つ前記感知器に対応して凹部をなす漏斗状に延設される仕切板と、を備えた火炎感知装置付工作機械である。
【００１０】
請求項２に係る発明は、工作機械の加工領域を覆う構造体と、前記加工領域に面する前記構造体の天井部に配置された熱あるいは煙を感知する感知器と、前記天井部の下側から前記感知器の方向へ伸び、熱せられた空気あるいは煙を上方に誘導すると共に、前記天井部とで熱せられた空気あるいは煙が対流する所定の空間領域を形成する位置に配置する、前記感知器の配置個所に対応した部位に開口部を有し、且つ鉛直方向に対して直交する方向に延設される仕切板と、を備えた火炎感知装置付工作機械である。
【００１１】
請求項３に係る発明は、熱あるいは煙を感知する感知器と、前記感知器の上方及び側方を覆う下方を開放した筺体と、前記筺体の下側から前記感知器の方向へ伸び、熱せられた空気あるいは煙を上方に誘導すると共に、前記筺体内に熱せられた空気あるいは煙が対流する所定の空間領域を形成する位置に配置する、開口部を有し、且つ、前記感知器に対応して凹部をなす漏斗状に延設される仕切板と、を備えた火炎感知装置付工作機械である。
【００１２】
請求項４に係る発明は、熱あるいは煙を感知する感知器と、前記感知器の上方及び側方を覆う下方を開放した筺体と、前記筺体の下側から前記感知器の方向へ伸び、熱せられた空気あるいは煙を上方に誘導すると共に、前記筺体内に熱せられた空気あるいは煙が対流する所定の空間領域を形成する位置に配置する、開口部を有し、且つ鉛直方向に対して直交する方向に延設される仕切板と、を備えた火炎感知装置付工作機械である。
【発明の効果】
【００１３】
本発明は、火災の炎によって暖められ上昇した空気、または火災によって生じた煙を、限定された狭い空間で効率的に対流させることができ、火災の感知時間を短縮することが可能である。  
また、開口部を有する仕切り板をカバーの下端より上方で且つ感知器より下方で且つ加工領域（火災発生個所）より上方に設けた構造とすることで、仕切り板の形状も効果を考慮し、任意に設計変更可能である。  
また、感知器のみに開口部を有する仕切り板を設けたカバーを取り付けることでも効果がある。
【発明を実施するための最良の形態】
【００１４】
以下、本発明の火災感知装置付工作機械の実施形態を図面とともに説明する。  
図１はたとえばスプラッシュガード装置のような加工領域を覆う構造体の天井部の内面に感知器を配置する工作機械の第１の実施形態を示す。スプラッシュガード装置５は、前面カバーや左右側面カバー及び天井カバー６などで構成される。スプラッシュガード装置５は、工作機械部品の一種で、切削加工の工程において、切削時の切り屑や切削油剤が周囲に飛散しないようにするための覆いである。図１には天井カバー６の内面に熱、煙などの感知器１を仕切板７と共に配置しているのが示されている。
【００１５】
符号２は消火薬剤噴射ノズルであり、工作機械に火災が発生した際に、消火薬剤を噴射して消火できるようスプラッシュガード装置内の上方部位に配置されている。４は自動消火装置の制御盤である。天井カバー６にはその下部から感知器１の方向へ伸び、熱せられた空気あるいは煙を上方に誘導すると共に、天井カバー６との間で形成される小空間領域内で熱せられた空気または煙を対流させる仕切板７が配置されている。仕切板７は感知器１に対応する個所に開口部８が形成された漏斗状の形状をなしており、仕切板７は熱せられた空気あるいは煙を開口部８に導く。該熱せられた空気あるいは該煙は前記開口部８を通って感知器１に達する。
【００１６】
感知器１に達した該熱せられた空気あるいは該煙は、該天井カバー６と仕切板７とで形成される小空間領域内を対流する。このようにすることにより、図５に示されるように従来は火災発生の初期段階の熱せられた空気や煙が拡散していたのに対し、本発明の実施形態では、熱せられた空気または煙は開口部８を通過し小空間領域内を対流することから、火災発生の初期段階を捕捉することができる。
【００１７】
図１では感知器１が天井カバー６に２個配置されている。加工領域下部で発生した炎によって熱せられた空気または煙を前記感知器１により感知する。感知器１は１個でも火災を検知可能である。複数個の感知器１を配置することにより、加工領域内のどの位置で火災が発生したかをきめ細かく検知できるとともに、各感知器１からの検出信号の比較をすることにより、火災発生の検知精度を向上させることが可能である。なお、２つの感知器１から同時に火災発生の検出信号が検出されると、両者を比較しても差は出ないが、２つ同時に検出することは火災発生と判断しておくようにすることも可能である。
【００１８】
図２は、図１で示した仕切板７を天井カバー６に平行（通常、鉛直線に直交する平面）に配置した第２の実施形態である。開口部８は図１と同様に感知器１に対応する個所に形成される。この第２の実施形態でも第１の実施形態と同様に、熱せられた空気や煙が対流する小空間領域が形成されている。図１と異なり仕切板７を漏斗状に形成しないことから、高さ方向の寸法を小さくすることができ、また、仕切板の設置も簡単に行うことができる。
【００１９】
図３は、第１、第２の実施形態と異なり、感知器１単体の上方及び側方を覆い下方を開放するカバー９を用いる実施形態を示している。この第３の実施形態は、天井カバー６を使用しない開放型の工作機械においても火災発生の検知装置として使用することが可能である。感知器１用のカバー９は、図３に記載されるように、感知器１をカバー９内に配置する。
【００２０】
図４は図３で示される第３の実施形態において用いられるカバーと仕切板と感知器の配置関係を説明する図である。図４（ａ）〜図４（ｃ）は、仕切板７’をカバー９の端部から所定距離離隔した位置に配置している。仕切板７’は端部から所定距離離れた位置でもよいし、カバー９の端部でもよい。そして、仕切板７’は、実施形態１，２に示されるように、漏斗状に配置や鉛直方向に直交する方向に配置できる。また、図４（ｃ）に示されるように仕切板７’とカバー９との間に間隙を設けて配置してもよい。
【００２１】
本発明の実施形態で使用される感知器１は、熱を感知するもの、煙を感知するものを用いる。熱、または煙を感知するものであれば、感知器の感知方式は問わない。
【図面の簡単な説明】
【００２２】
【図１】天井カバーに仕切り板を配設した本発明の第１の実施形態。
【図２】天井カバーに水平な仕切り板を配設した本発明の第２の実施形態。
【図３】感知器をカバーで覆い、カバー内に仕切り板を配置する本発明の第３の実施形態。
【図４】感知器をカバーで覆う態様。
【図５】感知器を天井カバーに配置した従来技術。
【符号の説明】
【００２３】
１  感知器（熱、煙など）
２  消化薬剤噴射ノズル
３  消火薬剤入りタンク
４  自動消火装置制御盤
５  スプラッシュガード装置
６  天井カバー
７、７’  仕切板
８  開口部
９  感知器の上方及び側方を覆い下方を開放するカバー
【図１】
0004917489.tif 000002
【図２】
0004917489.tif 000003
【図３】
0004917489.tif 000004
【図４】
0004917489.tif 000005
【図５】
0004917489.tif 000006